(57)【要約】【課題】盗難の抑止を促すことができる車載装置、車載システムおよび車載装置の制御方法を提供すること。【解決手段】実施形態に係る車載装置は、認証部と、機器制御部とを備える。認証部は、車両に乗車した運転者の免許証に関する免許証情報に基づいて運転者の認証処理を行う。機器制御部は、認証部によって運転者が認証された場合、車載装置への操作を可能とする操作可能状態へ移行する。【選択図】図２
2020040571.tif 000002
【特許請求の範囲】
【請求項１】
車両に乗車したユーザの免許証に関する免許証情報に基づいて前記ユーザの認証処理を行う認証部と、
前記認証部によって前記ユーザが認証された場合、車載装置への操作を可能とする操作可能状態へ移行する機器制御部と
を備えることを特徴とする車載装置。
【請求項２】
前記機器制御部は、
前記認証部によって前記ユーザが認証された場合、前記車載装置のスタンバイ状態から前記操作可能状態へ移行すること
を特徴とする請求項１に記載の車載装置。
【請求項３】
前記認証部は、
前記ユーザまたは前記車両が、所定の認証不要条件を満たした場合、認証処理を省略すること
を特徴とする請求項１または２に記載の車載装置。
【請求項４】
前記認証部は、
前回の認証処理からの経過時間が所定時間未満である場合、認証処理を省略すること
を特徴とする請求項３に記載の車載装置。
【請求項５】
前記認証部は、
前記認証不要条件を満たした場合であっても、所定の強制認証条件を満たした場合には、認証処理を強制的に行うこと
を特徴とする請求項３または４に記載の車載装置。
【請求項６】
前記認証部は、
前記車両の位置が特定の位置であること、または、前回の認証処理の前記ユーザとは異なるユーザが認証処理を行うことのいずれか一方の場合、前記認証処理を強制的に行うこと
を特徴とする請求項５に記載の車載装置。
【請求項７】
車両に乗車したユーザの免許証に関する免許証情報を照合する処理を行うサーバ装置と、
前記サーバ装置の照合結果に基づいて前記ユーザを認証した場合、車載装置への操作を可能とする操作可能状態へ移行する車載装置と
を備えることを特徴とする車載システム。
【請求項８】
車両に乗車したユーザの免許証に関する免許証情報に基づいて前記ユーザの認証処理を行う認証工程と、
前記認証工程によって前記ユーザが認証された場合、車載装置への操作を可能とする操作可能状態へ移行する機器制御工程と
を含むことを特徴とする車載装置の制御方法。
【発明の詳細な説明】
【技術分野】
【０００１】
本発明は、車載装置、車載システムおよび車載装置の制御方法に関する。
【背景技術】
【０００２】
従来、例えば、ナビゲーション装置等の車載装置は、高機能および多機能が進むに従い、製品価格も上昇傾向にある。
【先行技術文献】
【特許文献】
【０００３】
【特許文献１】特開２００７−１４５１９９号公報
【発明の概要】
【発明が解決しようとする課題】
【０００４】
そして、高価格の車載装置は、例えば、転売等を目的として盗難されるケースが想定されることから、盗難を抑止するための技術が望まれている。
【０００５】
本発明は、上記に鑑みてなされたものであって、盗難の抑止を促すことができる車載装置、車載システムおよび車載装置の制御方法を提供することを目的とする。
【課題を解決するための手段】
【０００６】
上述した課題を解決し、目的を達成するために、本発明に係る車載装置は、認証部と、機器制御部とを備える。前記認証部は、車両に乗車したユーザの免許証に関する免許証情報に基づいて前記ユーザの認証処理を行う。前記機器制御部は、前記認証部によって前記ユーザが認証された場合、車載装置への操作を可能とする操作可能状態へ移行する。
【発明の効果】
【０００７】
本発明によれば、盗難の抑止を促すことができる。
【図面の簡単な説明】
【０００８】
【図１】図１は、実施形態に係る車載装置の制御方法の概要を示す図である。
【図２】図２は、実施形態に係る車載装置の構成を示すブロック図である。
【図３】図３は、登録情報の一例を示す図である。
【図４】図４は、認証履歴情報の一例を示す図である。
【図５】図５は、状態情報の一例を示す図である。
【図６】図６は、状態情報の一例を示す図である。
【図７】図７は、実施形態に係る車載装置が実行する処理の処理手順を示すフローチャートである。
【図８】図８は、変形例に係る車載システムを示す図である。
【発明を実施するための形態】
【０００９】
以下、添付図面を参照して、本願の開示する車載装置、車載システムおよび車載装置の制御方法の実施形態を詳細に説明する。なお、この実施形態により本発明が限定されるものではない。
【００１０】
まず、図１を用いて、実施形態に係る車載装置の制御方法の概要について説明する。図１は、実施形態に係る車載装置の制御方法の概要を示す図である。図１では、実施形態に係る車載装置１を備えた車両Ｃに、ユーザである運転者Ｄが乗車している状況を示している。
【００１１】
車載装置１は、例えば、ナビゲーション装置である。ナビゲーション装置としての車載装置１は、例えば、テレビや音楽、動画視聴等を行うためのマルチメディア機器を制御する機能や、ドライブレコーダ等の車両情報を収集する機能を有する。なお、車載装置１は、ナビゲーション装置に限らず、例えば、マルチメディア機能のみを有する装置であってもよい。また、車載装置１は、上記したナビゲーション装置とは別体で構成され、ナビゲーション装置を制御する制御装置であってもよい。
【００１２】
また、図１では、車載装置１は、スタンバイ状態であることとする。スタンバイ状態とは、車載装置１の電源がオンされた状態であるが、マルチメディア機器やナビゲーション機能等をユーザが操作できない状態である。なお、スタンバイ状態では、車載装置１は、ユーザによる操作を禁止するが、例えば、ドライブレコーダ等の車両情報を取得する装置を起動する処理を内部的に行うこととする。
【００１３】
実施形態に係る車載装置１の制御方法では、まず、車両Ｃに乗車したユーザである運転者Ｄの免許証に関する免許証情報ＤＬを取得し、免許証情報ＤＬに基づいて運転者Ｄの認証処理を行う（ステップＳ１）。
【００１４】
認証処理は、例えば、予め登録された免許証情報と、取得した免許証情報ＤＬとを照合して行う。なお、免許証情報ＤＬは、例えば、免許証に埋め込まれたＩＣ（Integrated  Circuit）に記憶された情報を認識して得られる情報であってもよく、あるいは、免許証を撮像して得られた画像情報であってもよい。
【００１５】
つづいて、実施形態に係る車載装置１の制御方法では、照合の結果、運転者Ｄを認証した場合、車載装置１への操作を可能とする操作可能状態へ移行する（ステップＳ２）。車載装置１がスタンバイ状態から操作可能状態へ移行することにより、運転者Ｄは、車載装置１のマルチメディア機器などを操作することができるようになる。
【００１６】
つまり、実施形態に係る車載装置１では、運転者Ｄが所有する免許証を用いた認証処理によって認証された場合に、運転者Ｄが操作可能とする。これにより、登録外のユーザは車載装置１を使用できないため、車載装置１が盗難されたとしても、盗難者等によって車載装置１が使用されることはない。すなわち、車載装置１を盗難しても使用できないため、盗難自体の発生を抑制できる、すなわち、盗難の抑止を促すことができる。さらに、実施形態に係る車載装置１によれば、免許証を用いて認識処理を行うことによって、運転者Ｄの免許証の不携帯を防ぐことができる。
【００１７】
なお、実施形態に係る車載装置１は、所定の認証不要条件を満たした場合には、認識処理を省略することができる。さらに、車載装置１は、認証不要条件を満たした場合であっても、所定の強制認証条件を満たした場合には、認証処理を強制的に行うこともできる。認証不要条件および強制認証条件の詳細については後述する。
【００１８】
次に、図２を参照して、実施形態に係る車載装置１の構成について詳細に説明する。図２は、実施形態に係る車載装置１の構成を示すブロック図である。図２に示すように、実施形態に係る車載装置１は、読取装置１０と、位置情報取得装置１１と、ドアロックセンサ１２と、ドライブレコーダ１０１と、マルチメディア機器１０２とに接続される。
【００１９】
読取装置１０は、運転者Ｄの免許証から免許証情報ＤＬを読み取る装置である。免許証情報ＤＬには、例えば、免許証に記載された事項（氏名、誕生日、本籍、住所、有効期限、免許の種別、免許証番号、ユーザの顔画像等）に関する情報が含まれる。
【００２０】
例えば、読取装置１０は、ＮＦＣ（Near  Field  Communication）等の近距離無線通信装置を採用可能である。ＮＦＣとしての読取装置１０は、運転者Ｄが免許証を読取部にかざすことによって、免許証に埋め込まれたＩＣチップに記憶された免許証情報ＤＬを読み取る。
【００２１】
なお、読取装置１０は、ＮＦＣ等の無線通信に限らず、例えば、車内カメラを用いてもよい。具体的には、読取装置１０は、免許証の画像情報を画像処理により解析し、免許証情報ＤＬを取得してもよい。
【００２２】
位置情報取得装置１１は、車両Ｃの現在位置に関する位置情報を取得する装置である。位置情報は、例えば、緯度経度の情報であってもよく、建物に関する情報であってもよい。建物に関する情報とは、例えば、自宅や、勤務先等のユーザ毎に登録された名称であってもよく、あるいは、ホテルや、ショッピングモール、コンビニエンスストア等といった建物で出店される業種等であってもよい。
【００２３】
ドアロックセンサ１２は、車両Ｃにおけるドアロックの開閉状態を検出するセンサである。ドアロックセンサ１２は、ドアロックの開閉状態に関する開閉情報を車載装置１へ出力する。ドアロックセンサ１２の開閉情報の出力タイミングは、例えば、ドアロックが解除または施錠されたタイミングである。あるいは、ドアロックセンサ１２は、定期的に開閉情報を出力してもよい。
【００２４】
実施形態に係る車載装置１は、制御部２と、記憶部３とを備える。制御部２は、取得部２１と、認証部２２と、機器制御部２３とを備える。記憶部３は、登録情報３１と、認証履歴情報３２と、状態情報３３とを記憶する。
【００２５】
ここで、車載装置１は、たとえば、ＣＰＵ（Central  Processing  Unit）、ＲＯＭ（Read  Only  Memory）、ＲＡＭ（Random  Access  Memory）、データフラッシュ、入出力ポートなどを有するコンピュータや各種の回路を含む。
【００２６】
コンピュータのＣＰＵは、たとえば、ＲＯＭに記憶されたプログラムを読み出して実行することによって、制御部２の取得部２１、認証部２２および機器制御部２３として機能する。
【００２７】
また、制御部２の取得部２１、認証部２２および機器制御部２３の少なくともいずれか一つまたは全部をＡＳＩＣ（Application  Specific  Integrated  Circuit）やＦＰＧＡ（Field  Programmable  Gate  Array）等のハードウェアで構成することもできる。
【００２８】
また、記憶部３は、たとえば、ＲＡＭやデータフラッシュに対応する。ＲＡＭやデータフラッシュは、登録情報３１や、認証履歴情報３２、状態情報３３、各種プログラムの情報等を記憶することができる。なお、車載装置１は、有線や無線のネットワークで接続された他のコンピュータや可搬型記録媒体を介して上記したプログラムや各種情報を取得することとしてもよい。
【００２９】
登録情報３１は、運転者Ｄ等の免許証情報ＤＬを含む情報である。登録情報３１は、予め登録される情報である。図３は、登録情報３１の一例を示す図である。図３に示すように、登録情報３１には、「ユーザＩＤ」、「ユーザ名」および「免許証情報」等といった項目が対応付けられる。
【００３０】
「ユーザＩＤ」は、運転者Ｄ等の車両Ｃを運転する可能性があるユーザを識別する識別情報である。「ユーザ名」は、例えば、ユーザの氏名や呼称等といったユーザの名称である。「免許証情報」は、ユーザによって登録された免許証登録情報である。
【００３１】
図３では、「免許証情報」を「＃１」と表しているが、実際には、免許証に記載された事項（氏名、誕生日、本籍、住所、有効期限、免許の種別、免許証番号、ユーザの顔画像等）に関する情報が入力される。なお、後述の認証部２２は、読取装置１０で読み取った免許証情報ＤＬと、登録情報３１の「免許証情報」とを照合することで認証処理を行う。
【００３２】
なお、上述では、登録情報３１には、車両Ｃを運転する可能性があるユーザの免許証情報を登録する場合について説明したが、例えば、車両Ｃの運転を禁止するユーザの免許証情報を登録してもよい。
【００３３】
認証履歴情報３２は、認証部２２による認証処理の履歴に関する情報である。図４は、認証履歴情報３２の一例を示す図である。図３に示すように、認証履歴情報３２は、「認証ＩＤ」、「ユーザＩＤ」、「認証情報」および「降車情報」等の項目が対応付けられる。
【００３４】
「認証ＩＤ」は、各認証処理を識別する識別情報である。「ユーザＩＤ」は、認証処理により認証されたユーザの識別情報である。「認証情報」は、認証処理に関する情報である。「認証処理」には、例えば、「認証日時」および「位置」といった項目が含まれる。
【００３５】
「認証日時」は、認証処理が行われた日時を示す情報である。「位置」は、認証処理が行われた際の車両Ｃの位置を示す情報である。
【００３６】
「降車情報」は、認証されたユーザが降車した、すなわち、車両Ｃを停車させた際の情報である。「降車情報」には、例えば、「停車日時」および「位置」といった項目が含まれる。
【００３７】
「停車日時」は、車両Ｃを停車させた日時を示す情報である。「位置」は、停車させた車両Ｃの位置を示す情報である。
【００３８】
つまり、図４に示す例では、ユーザＩＤ「Ｕ１」は、２０１８年８月１０日の７時３０分に認証されることで、「自宅」から運転を開始し、２０１８年８月１０日の１５時に「自宅」に戻ってきて車両Ｃから降車したことを示している。
【００３９】
状態情報３３は、車載装置１の制御状態を示す情報である。図５は、状態情報３３の一例を示す図である。図５に示すように、車載装置１の制御状態には、電源オフ状態ｓｔ１、スタンバイ状態ｓｔ２および操作可能状態ｓｔ３の３つの状態が存在する。これら制御状態は、後述の機器制御部２３により切替が行われる。機器制御部２３による切替方法については後述する。
【００４０】
電源オフ状態ｓｔ１は、車載装置１の電源がオフの状態であり、上記のドライブレコーダ１０１およびマルチメディア機器１０２については停止した状態である。スタンバイ状態ｓｔ２は、車載装置１の電源がオンの状態であり、ドライブレコーダ１０１の起動処理および認証部２２による認証処理が行われる状態である。なお、スタンバイ状態では、マルチメディア機器１０２の起動処理が行わない、つまり、マルチメディア機器１０２が操作できない状態である。操作可能状態ｓｔ３は、マルチメディア機器１０２の操作が可能な状態である。
【００４１】
制御部２は、免許証情報ＤＬに基づいて運転者Ｄの認証処理を行い、運転者Ｄを認証した場合、車載装置１の操作を可能する操作可能状態へ移行する。
【００４２】
取得部２１は、免許証情報ＤＬや、位置情報、ドアロックの開閉情報等を取得する。取得部２１は、免許証情報ＤＬおよび位置情報を認証部２２へ出力し、開閉情報を機器制御部２３へ出力する。
【００４３】
認証部２２は、取得部２１によって取得された免許証情報ＤＬに基づいて運転者Ｄの認証処理を行う。具体的には、認証部２２は、状態情報３３の制御状態がスタンバイ状態ｓｔ２である場合に、取得部２１が取得した免許証情報ＤＬと、登録情報３１の「免許証情報」とを照合し、一致した場合に、運転者Ｄを認証する。
【００４４】
認証部２２は、運転者Ｄを認証した場合、認証した旨を示す情報を機器制御部２３へ出力するとともに、認証履歴情報３２に認証情報（「認証日時」および「位置」）を追加する。また、認証部２２は、車両Ｃのエンジンが停止して停車した場合（アイドリングストップ等の一時的な停止は除く）、認証履歴情報３２に降車情報（「降車日時」および「位置」）を追加する。
【００４５】
なお、詳細は後述するが、電源オフ状態ｓｔ１からスタンバイ状態ｓｔ２への切替は、ドアロックの解除された場合に行われる。このため、認証部２２による認証タイミングは、スタンバイ状態ｓｔ２であれば、運転者Ｄが車両Ｃに乗車してエンジンをオン状態にした後でも、オフ状態の時でもよい。
【００４６】
また、認証部２２は、ユーザまたは車両Ｃが、所定の認証不要条件を満たした場合、認証処理を省略することができる。例えば、認証部２２は、前回の認証処理からの経過時間が所定時間未満である場合、認証処理を省略する。
【００４７】
具体的には、認証部２２は、認証履歴情報３２の中から、前回の認証処理における「停車日時」を抽出し、かかる「停車日時」から今回の認証処理を行うタイミング（例えば、ドアロックの解除時）までの経過時間が所定時間未満である場合、認証処理を省略する。
【００４８】
これは、運転を終了してから次の運転を開始するまでの時間が短い場合には、ユーザが免許証を忘れる可能性が低いためである。つまり、一時的に車両Ｃを停車した後、すぐに車両Ｃに戻って運転を再開する場合に認証処理を要求すると、ユーザが煩わしく感じしまうため、前回の認証処理から今回の認証処理までの時間が比較的短い場合には認証処理を行わないようにする。これにより、ユーザが認証処理を煩わしく感じることを低減できる。
【００４９】
なお、認証部２２は、「停車日時」から今回の認証処理を行うタイミングまでの経過時間を元に認証処理の省略の要否を決定したが、例えば、前回の認証処理における「認証日時」から今回の認証処理を行うタイミングまでの経過時間を元に認証処理の省略の要否を決定してもよい。
【００５０】
また、認証部２２は、認証処理の時間間隔に限らず、例えば、車両Ｃの位置を元に認証処理の要否を決定してもよい。具体的には、認証部２２は、車両Ｃの位置がコンビニエンスストアやショッピングモール等の一時的に立ち寄る場所であった場合、上述の経過時間が所定時間以上であっても認証処理を省略してもよい。
【００５１】
これは、一時的に立ち寄る場所では、ユーザは免許証を置き忘れる可能性が低いためである。これにより、ユーザの煩わしさをさらに低減することができる。
【００５２】
また、認証部２２は、認証不要条件を満たした場合であっても、所定の強制認証条件を満たした場合には、認証処理を強制的に行ってもよい。例えば、認証部２２は、車両Ｃの位置が特定の位置である場合、認証処理を強制的に行う。
【００５３】
具体的には、認証部２２は、車両Ｃの位置が自宅またはホテル等といった滞在時間が比較的長くなる場所に停車された場合には、認証不要条件を満たした場合であっても、認証処理を強制的に行う。
【００５４】
これは、自宅やホテル等では、ユーザが免許証を置き忘れる可能性が高いためである。これにより、ユーザが免許証を不携帯で運転することを回避することができる。
【００５５】
あるいは、認証部２２は、車両Ｃの位置が、例えば、過去に盗難の発生した場所である場合には、認証不要条件を満たした場合であっても、認証処理を強制的に行ってもよい。
【００５６】
また、認証部２２は、前回の認証処理のユーザとは異なるユーザが認証処理を行う場合には、認証不要条件を満たした場合であっても、認証処理を強制的に行ってもよい。なお、前回の認証時のユーザとは異なるユーザであるか否かの判定は、例えば、車内カメラの画像情報を解析することで実現可能である。これにより、運転するユーザが入れ替わった場合であっても、入れ替わり後のユーザが免許証を不携帯で運転することを回避することができる。
【００５７】
機器制御部２３は、状態情報３３に基づいて車載装置１の制御状態を切り替えるとともに、ドライブレコーダ１０１やマルチメディア機器１０２を制御する。例えば、機器制御部２３は、状態情報３３の制御状態が電源オフ状態ｓｔ１である場合において、ドアロックが解除されると、図示しない車載バッテリ等からの電源供給を受けて、車載装置１の電源をオンし、スタンバイ状態ｓｔ２へ移行する。
【００５８】
機器制御部２３は、状態情報３３の制御状態をスタンバイ状態ｓｔ２へ切り替えた後、ドライブレコーダ１０１の起動処理および読取装置１０の起動処理を行う。そして、読取装置１０の起動処理が完了すると、認証部２２による認証処理が開始される。
【００５９】
そして、機器制御部２３は、認証部２２によって運転者Ｄが認証された場合、車載装置１の操作を可能とする操作可能状態ｓｔ３へ移行する。具体的には、機器制御部２３は、状態情報３３の制御状態をスタンバイ状態ｓｔ２から操作可能状態ｓｔ３へ移行する。
【００６０】
このように、スタンバイ状態ｓｔ２を経て操作可能状態ｓｔ３へ移行することで、操作可能状態ｓｔ３において、ドライブレコーダ１０１の起動処理を行う必要がないため、マルチメディア機器１０２の起動処理を早めることができるとともに、例えば、運転者Ｄが認証される前から、ドライブレコーダ１０１により画像情報を記録することができる。
【００６１】
そして、機器制御部２３は、車両Ｃのエンジンが停止し、ドアロックが施錠された場合に、運転者Ｄが降車したとみなして、操作可能状態ｓｔ３から電源オフ状態ｓｔ１へ移行する。なお、かかる場合、操作可能状態ｓｔ３からスタンバイ状態ｓｔ２を経て電源オフ状態ｓｔ１へ移行してもよい。
【００６２】
次に、図６を用いて、認証部２２の認証設定について説明する。図６は、認証処理の設定を行うための設定画面を示す図である。かかる設定画面は、操作可能状態ｓｔ３において、ユーザが所定の操作を行うことで、例えば、ナビゲーション装置である車載装置１の図示しない表示部に表示され、ユーザのタッチ操作を受け付ける。
【００６３】
図６に示すように、設定画面には、例えば、「認証機能」、「項目設定」および「登録者情報」といった項目が表示される。
【００６４】
「認証機能」は、認証部２２による認証処理を行う（ＯＮ）か否（ＯＦＦ）を設定する項目である。つまり、ユーザは、認証処理の要否を手動で設定することができる。これにより、例えば、車両Ｃを車検等に出す場合に、認証機能をＯＦＦにしておくことで、検査者が車載装置１を使用できない状況を回避できる。
【００６５】
「項目設定」とは、「認証機能」がＯＮの場合に設定可能となる項目であり、認証処理を行う条件を設定する項目である。「項目設定」には、例えば、認証間隔および強制認証の項目が含まれる。認証間隔は、認証処理を行う間隔を設定する項目であり、上記した認証不要条件を設定する項目である。強制認証は、認証処理を強制的に行う条件を設定する項目であり、上記した強制認証条件を設定する項目である。
【００６６】
「登録者情報」は、登録情報３１に登録されたユーザを示す情報である。例えば、「登録者情報」には、登録情報３１の「ユーザ名」が表示される。また、図６に示すように、登録者情報の３番目以降が「未登録」と表示されている。これは、登録情報３１に２人のユーザが登録済であることを示している。
【００６７】
そして、設定画面の「登録者追加」のボタンをユーザが押下した場合、新たなユーザの免許証情報ＤＬを登録することができる。
【００６８】
次に、図７を用いて、実施形態に係る車載装置１が実行する処理の処理手順について説明する。図７は、実施形態に係る車載装置１が実行する処理の処理手順を示すフローチャートである。
【００６９】
図７に示すように、まず、取得部２１は、ドアロックが解除されたことを示す開閉情報を取得する（ステップＳ１０１）。つづいて、機器制御部２３は、取得部２１がドアロックが解除されたことを示し開閉情報を取得すると、状態情報３３の電源オフ状態ｓｔ１からスタンバイ状態ｓｔ２へ移行する（ステップＳ１０２）。
【００７０】
つづいて、認証部２２は、スタンバイ状態ｓｔ２へ移行した場合、免許証情報ＤＬに基づいて運転者Ｄの認証処理を行う（ステップＳ１０３）。認証部２２は、認証処理によって運転者Ｄを認証するか否かを判定する（ステップＳ１０４）。
【００７１】
機器制御部２３は、認証部２２によって運転者Ｄが認証された場合（ステップＳ１０４，Ｙｅｓ）、スタンバイ状態ｓｔ２から操作可能状態ｓｔ３へ移行し（ステップＳ１０５）、処理を終了する。
【００７２】
また、機器制御部２３は、認証部２２によって運転者Ｄが認証されなかった場合（ステップＳ１０４，Ｎｏ）、運転者Ｄに対して車載装置１が操作不可であることを通知し（ステップＳ１０６）、処理を終了する。
【００７３】
上述してきたように、実施形態に係る車載装置１は、認証部２２と、機器制御部２３とを備える。認証部２２は、車両Ｃに乗車した運転者Ｄの免許証に関する免許証情報ＤＬに基づいて運転者Ｄの認証処理を行う。機器制御部２３は、認証部２２によって運転者Ｄが認証された場合、車載装置１への操作を可能とする操作可能状態ｓｔ３へ移行する。これにより、車載装置１の盗難の抑止を促すことができる。
【００７４】
なお、上述した実施形態では、車載装置１が免許証情報ＤＬの照合を行い、照合結果に基づいて運転者Ｄを認証するか否かを判定する場合について説明したが、免許証情報ＤＬの照合をサーバ装置が行ってもよい。かかる点について、図８を用いて説明する。
【００７５】
図８は、変形例に係る車載システムＳを示す図である。図８に示すように、車載システムＳは、車載装置１と、サーバ装置ＳＶとを備える。変形例に係る車載システムＳは、サーバ装置ＳＶが免許証情報ＤＬの照合を行う点で、上述した実施形態とは異なる。
【００７６】
具体的には、まず、車載装置１は、読取装置１０によって読み取った免許証情報ＤＬをサーバ装置ＳＶへ送信する（ステップＳ１１）。サーバ装置ＳＶは、予め記憶しておいた登録情報３１と、受信した免許証情報ＤＬとを照合する（ステップＳ１２）。
【００７７】
そして、サーバ装置ＳＶは、照合結果を車載装置１へ送信する（ステップＳ１３）。なお、照合結果とは、登録情報３１の中に、免許証情報ＤＬと一致する情報が含まれるか否かを示す情報である。
【００７８】
つづいて、車載装置１は、サーバ装置ＳＶから照合結果を受信した場合、かかる照合結果に基づいて運転者Ｄの認証処理を行う（ステップＳ１４）。車載装置１は、免許証情報ＤＬと一致する情報が登録情報３１に含まれることを示す照合結果の場合、操作可能状態ｓｔ３へ移行する（ステップＳ１５）。
【００７９】
なお、車載装置１は、免許証情報ＤＬと一致する情報が登録情報３１に含まれないことを示す照合結果の場合、運転者Ｄに対して操作不可である旨を通知する。
【００８０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８１】
１    車載装置
２    制御部
３    記憶部
１０    読取装置
１１    位置情報取得装置
１２    ドアロックセンサ
２１    取得部
２２    認証部
２３    機器制御部
３１    登録情報
３２    認証履歴情報
３３    状態情報
１０１    ドライブレコーダ
１０２    マルチメディア機器
Ｃ    車両
Ｄ    運転者
Ｓ    車載システム
ＳＶ    サーバ装置
【図１】
2020040571.tif 000003
【図２】
2020040571.tif 000004
【図３】
2020040571.tif 000005
【図４】
2020040571.tif 000006
【図５】
2020040571.tif 000007
【図６】
2020040571.tif 000008
【図７】
2020040571.tif 000009
【図８】
2020040571.tif 000010